(57)【特許請求の範囲】
【請求項１】
複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台において、
前記玉磨き揚送装置下方の周囲には、該周囲に侵入したパチンコ玉を受け入れる誘導樋機構を設けると共に、該誘導樋機構の底板を、受け入れたパチンコ玉が所定の位置に誘導されるように傾斜状に形成したことを特徴とするパチンコ島台。
【請求項２】
前記誘導樋機構には、前記所定の位置に誘導されたパチンコ玉を回収し貯留する玉回収器を着脱可能に設けたことを特徴とする請求項１記載のパチンコ島台。
【請求項３】
前記誘導樋機構内に前記底板の裏面に当接しながら移動することにより前記誘導樋機構内のパチンコ玉を前記所定の位置に誘導する磁石機構を備えたことを特徴とする請求項１記載のパチンコ島台。
【請求項４】
複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台において、
前記玉磨き揚送装置下方の周囲には、該周囲に侵入したパチンコ玉を受け入れる誘導樋機構を設けると共に、該誘導樋機構内に、該誘導樋機構の底板の裏面に当接しながら移動することにより受け入れたパチンコ玉を所定の位置に誘導する磁石機構を備えたことを特徴とするパチンコ島台。
【請求項５】
前記誘導樋機構には、前記所定の位置に誘導されたパチンコ玉を回収し貯留する玉回収器を着脱可能に設けたことを特徴とする請求項３又は請求項４記載のパチンコ島台。
【請求項６】
前記玉回収器は、前記誘導樋機構に対して摺動自在に取り付けられると共に、前記磁石機構と連結されていることを特徴とする請求項５記載のパチンコ島台。
【請求項７】
前記底板の裏面側に、前記所定の位置近傍に磁石機構の磁気の影響を受けない無磁気領域を形成するための磁気遮断部材を備えたことを特徴とする請求項３乃至請求項６のいずれかに記載のパチンコ島台。
【発明の詳細な説明】
【０００１】
【発明の属する技術分野】
本発明は、複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台に関するものである。
【０００２】
【従来の技術】
パチンコ島台内に設置される玉磨き揚送装置は、パチンコ島台の長手方向ほぼ中央に位置する玉磨き揚送装置収納部４に収納されるものである。また、図２に示すように、玉磨き揚送装置３は、玉磨き揚送装置収納部４の玉磨き揚送装置３引き出し側（図の右側）に設置されるものであり、玉磨き揚送装置収納部４の奥側（図中左側）の下方には、図中に示す空間Ａが、また、玉磨き揚送装置３の両側方には、図中に示す空間Ｂが形成されている。
【０００３】
ところで、玉磨き揚送装置３や玉磨き揚送装置３と貯留タンク１３とを連結する誘導樋１９は、稀に、その内部に異物や塵等が混入し、この異物や塵等を取り除く作業を行う必要がある場合がある。このとき、玉磨き揚送装置３及び誘導樋１９の内部に残っていたパチンコ玉が落下し、空間Ａ又は空間Ｂに侵入することがあった。また、パチンコ島台のメンテナンス等のために、図２に示すように、貯留タンク１３内のパチンコ玉を玉抜き口２９から抜き取る際にも、貯留タンク１３から落下したパチンコ玉が空間Ａ又は空間Ｂに侵入することがあった。
【０００４】
上記のように空間Ａ又は空間Ｂに侵入したパチンコ玉を回収する際には、例えば、回収作業をする者が玉磨き揚送装置３の奥側又は側方に手を延ばしたり、あるいは、玉磨き揚送装置３をパチンコ島台から引き出したりして、空間Ａ又は空間Ｂに侵入したパチンコ玉の回収作業を行っていた。
【０００５】
【発明が解決しようとする課題】
ところが、図２に示すように、玉磨き揚送装置３には、貯留タンク１３と連結される誘導樋１９や玉磨き揚送装置３に掛け渡される布ベルト５２を収納するための布ベルト収納箱５４等が設置され、更に、空間Ａの上方には、貯留タンク１３に連結される連結樋１６が位置しているため、玉磨き揚送装置３の奥側又は側方に手を延ばしてパチンコ玉を回収しようとしても、これらが障害物となり、空間Ａ又は空間Ｂに侵入したパチンコ玉の回収における作業性は大変悪かった。同様に、玉磨き揚送装置３を引き出して、空間Ａ又は空間Ｂに侵入したパチンコ玉を回収しようとする場合、図２に示すように、空間Ａ又は空間Ｂに侵入したパチンコ玉を回収しようとする度に、誘導樋１９を取り外す等をしなければならないだけでなく、玉磨き揚送装置３を引き出す必要があるので、大変手間のかかる作業となり、空間Ａ又は空間Ｂに侵入したパチンコ玉の回収における作業性は大変悪かった。そこで、本発明は、上記した事情に鑑みなされたもので、その目的とするところは、玉磨き揚送装置下方の周囲に侵入したパチンコ玉を容易に回収することができるパチンコ島台を提供することにある。
【０００６】
【課題を解決するための手段】
上記した目的を達成するために、請求項１に記載の発明においては、複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台において、前記玉磨き揚送装置下方の周囲には、該周囲に侵入したパチンコ玉を受け入れる誘導樋機構を設けると共に、該誘導樋機構の底板を、受け入れたパチンコ玉が所定の位置に誘導されるように傾斜状に形成したことを特徴とするものである。このように構成することにより、玉磨き揚送装置下方の空間に侵入したパチンコ玉が誘導樋機構により受け止めることができ、更に、底板の傾斜により所定の位置に誘導されるため、パチンコ玉を手作業により拾い集める必要がなくなり、パチンコ玉の回収の作業性を向上させることができる。
【０００７】
また、請求項２に記載の発明においては、前記誘導樋機構には、前記所定の位置に誘導されたパチンコ玉を回収し貯留する玉回収器を着脱可能に設けたことを特徴とするものである。このように構成することにより、誘導樋機構により所定の位置に誘導したパチンコ玉を玉回収器で容易に回収することができ、また、パチンコ玉を回収した玉回収器を誘導樋機構から取り外すことにより、容易にパチンコ玉を誘導樋機構から取り出すことができるため、更にパチンコ玉の回収の作業性を向上させることができる。
【０００８】
また、請求項３に記載の発明においては、前記誘導樋機構内に前記底板の裏面に当接しながら移動することにより前記誘導樋機構内のパチンコ玉を前記所定の位置に誘導する磁石機構を備えたことを特徴とするものである。このように構成することにより、磁石機構の磁気によってパチンコ玉を吸引しながら移動させることができるため、誘導樋機構の底板上に塵や埃等が堆積してパチンコ玉の流れが悪くなった場合でも、誘導樋機構内のパチンコ玉を確実に所定の位置まで移動させることができる。
【０００９】
また、請求項４に記載の発明においては、複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台において、前記玉磨き揚送装置下方の周囲には、該周囲に侵入したパチンコ玉を受け入れる誘導樋機構を設けると共に、該誘導樋機構内に、該誘導樋機構の底板の裏面に当接しながら移動することにより受け入れたパチンコ玉を所定の位置に誘導する磁石機構を備えたことを特徴とするものである。このように構成することにより、玉磨き揚送装置下方の空間に侵入したパチンコ玉が誘導樋機構により受け止めることができ、また、磁石機構の磁気によってパチンコ玉を吸引しながら移動させることができるため、誘導樋機構の底板に傾斜をつけることなく、パチンコ玉を確実に所定の位置まで移動させることができる。
【００１０】
また、請求項５に記載の発明においては、前記誘導樋機構には、前記所定の位置に誘導されたパチンコ玉を回収し貯留する玉回収器を着脱可能に設けたことを特徴とするものである。このように構成することにより、誘導樋機構により所定の位置に誘導したパチンコ玉を玉回収器で容易に回収することができ、また、パチンコ玉を回収した玉回収器を誘導樋機構から取り外すことにより、容易にパチンコ玉を誘導樋機構から取り出すことができるため、更にパチンコ玉の回収の作業性を向上させることができる。
【００１１】
また、請求項６に記載の発明においては、前記玉回収器は、前記誘導樋機構に対して摺動自在に取り付けられると共に、前記磁石機構と連結されていることを特徴とするものである。このように構成することにより、玉回収器を摺動させて誘導樋機構から取り外す際に、磁石機構が玉回収器に追従して移動するため、誘導樋機構内のパチンコ玉を確実に玉回収器に集めることができ、また、誘導樋機構内のパチンコ玉を所定の位置に移動させる作業と玉回収器を誘導樋機構から抜き取る作業を同時に行うことができるため、パチンコ玉の回収の作業を向上させることができる。また、玉回収器と磁石機構が連結されているので、玉回収器が誘導樋機構に収納されることに伴い、追従して磁石機構も所定の位置に戻ることになるため、磁石機構の移動忘れを防止することができる。
【００１２】
更に、請求項７に記載の発明においては、前記底板の裏面側に、前記所定の位置近傍に磁石機構の磁気の影響を受けない無磁気領域を形成するための磁気遮断部材を備えたことを特徴とするものである。このように構成することにより、所定の位置に向けて移動した磁石機構は、所定の位置の近傍で磁気遮断部材により底板から遠ざけられるため、磁石機構により移動してきたパチンコ玉は、所定の位置の近傍では、磁気の影響を受けなくなる。このため、パチンコ玉をスムーズに所定の位置まで移動させることができる。
【００１３】
【発明の実施の形態】
以下、図面を参照して本発明の実施形態について説明する。まず、図１を参照して本実施形態に係るパチンコ島台１の概略構成について説明する。図１は、本実施形態に係るパチンコ島台１の内部を示す側面図及び及びパチンコ島台１内に設置される玉磨き揚送装置３の下部の部分拡大図である。
【００１４】
図において、パチンコ島台１は、周知のように、直方体状に枠組み構成され、その長手方向両面に複数のパチンコ機２を背向列設するようになっている。尚、図１においては、パチンコ機２は省略されている。また、パチンコ島台１には、各パチンコ機２に挟持されるように台間玉貸機（図示しない）が設けられており、この台間玉貸機はパチンコ機２と１対１対応するように設けられていると共に、硬貨または紙幣、あるいはプリペイドカードまたは貯玉カードによりパチンコ玉を貸し出すようになっている。
【００１５】
また、パチンコ島台１には、遊技により獲得した景品玉を計数するための計数装置（図示しない）及び景品玉をレシートまたはカード等に記憶する景品玉記憶装置（図示しない）等が設けられているため、遊技者は、遊技によって獲得した景品玉をレシートまたはカード等に記憶させて景品と交換することができ、パチンコ玉を景品交換所に運ぶ必要がなくなる。なお、前記カード等にはカードを識別するために必要なＩＤ番号が記憶されていると共に、各パチンコ機２毎にカード盗難防止装置も設けられているので、カード等が悪用されたり、盗難される心配はない。
【００１６】
また、パチンコ島台１のほぼ中央には、玉磨き揚送装置３が収納される玉磨き揚送装置収納部４が立設されている。玉磨き揚送装置３は、無端状の搬送ベルト４２によってパチンコ玉を揚送するものであり、この無端状の搬送ベルト４２は、パチンコ島台１の長手方向と直交するように配置されている。この玉磨き揚送装置３は、貯留タンク１３から誘導樋１９及び導入樋５を介して玉磨き揚送装置３内に導入したパチンコ玉を上部に研磨しながら揚送し、上部の排出口（図示しない）から次に説明する上部タンク６に排出するものである。
【００１７】
玉磨き揚送装置３の上部には、揚送されたパチンコ玉を一時的に貯留する上部タンク６，７が設けられ、該上部タンク６，７からは、各パチンコ機２にパチンコ玉を供給するための補給樋８が、パチンコ島台１の長手方向端部に向かって傾斜状に設けられている。玉磨き揚送装置３により揚送されたパチンコ玉は、まず上部タンク６（以下、上部主タンク６という）につながる補給樋８に最優先で送られ、上部主タンク６でオーバーフローしたパチンコ玉は次に上部タンク７（以下、上部従タンク７という）につながる補給樋８に送られ、更に上部従タンク７でオーバーフローしたパチンコ玉は、玉磨き揚送装置３の側面に沿って形成されるオーバーフローダクト（図示しない）を介してパチンコ島台１の下部にある貯留タンク１３の溢れ玉誘導樋１７に誘導されるようになっている。溢れ玉誘導樋１７に誘導されたパチンコ玉は、貯留タンク１３の底板３０へ落下し、貯留タンク１３に貯留されることとなるが、この貯留タンク１３に貯留されたパチンコ玉の多くは、玉磨き揚送装置３により研磨されているため、常にきれいにされた状態のパチンコ玉である。なお、オーバーフローダクトは、玉磨き揚送装置収納部４に一体的に形成されている。
【００１８】
また、補給樋８には、各パチンコ機２にパチンコ玉を誘導する分配シュート９が各パチンコ機２に対応して設けられている。分配シュート９によって取り込まれたパチンコ玉は、分配シュート９の下方に位置する計数装置（図示しない）により玉数が計数された後、補給装置１０を介してパチンコ機２の背面上部に設けられた賞球タンク（図示しない）に供給され、景品玉や遊技玉として使用される。また、補給樋８の下流端には、玉抜き用分離器１１が設けられており、補給樋８の下流端まで流下してきたパチンコ玉は、玉抜き用分離器１１から蛇腹１２を介して後述するアウト玉回収樋１８へ導出されることにより、パチンコ玉がパチンコ島台１内を循環している。
【００１９】
一方、パチンコ機２から排出される使用済みのパチンコ玉（アウト玉）は、計数機能を有する受入手段としてのアウト玉回収ボックス１４で回収された後、下方に排出される。アウト玉回収ボックス１４から排出されたパチンコ玉は、パチンコ島台１の両端部からそのほぼ中央に立設される玉磨き揚送装置３の下部に向けて下り傾斜状に設けられる前記アウト玉回収樋１８上に落下せしめられる。
【００２０】
また、パチンコ機２の下部には、パチンコ島台１に対してほぼ直交するように外側に向かってカウンター台（図示しない）が突設されている。該カウンター台には、玉箱（図示しない）が載置されると共に、遊技者が遊技で獲得し、玉箱に貯留した景品玉を返却する機能が付設されており、玉箱から返却された景品玉は、カウンター台の裏面に設置された計数装置（図示しない）で計数した後、アウト玉回収樋１８に落下せしめられる。
【００２１】
なお、アウト玉回収樋１８は、計数装置で計数されたパチンコ玉（景品玉）及びパチンコ機２から排出される使用済みのパチンコ玉（アウト玉）をまとめて回収するものであり、簀の子状の誘導レールがパチンコ島台１の幅方向中央の位置に長手方向に沿って敷設されるものである。また、図１に示すように、玉磨き揚送装置３を挟んで左側のアウト玉回収樋１８の下流端は、中継タンク１５に接続されており、玉磨き揚送装置３を挟んで右側のアウト玉回収樋１８は、貯留タンク１３に接続されている。また、中継タンク１５と貯留タンク１３との間には、中継タンク１５から貯留タンク１３に向かってパチンコ玉を移送するための連結樋１６が接続されている。なお、アウト玉回収樋１８は、簀の子状の誘導レールに限らず、ベルトコンベア等により構成されるものであってもよい。
【００２２】
また、図示の実施形態においては、玉磨き揚送装置３の一側側方に貯留タンク１３が設けられているが、貯留タンク１３は、パチンコ機２の横幅寸法の約３〜４台分に相当する長さに形成されており、パチンコ島台１に設置される複数の玉箱の総容量を許容できる程度の大きさに設計されている。
【００２３】
また、玉磨き揚送装置３の右側方には、遊技者が遊技で獲得した景品玉を返却，計数するための玉計数器（図示しない）が予備的に、玉計数器設置場所２０に設置されている。これは、各パチンコ機２毎に備えられた計数装置が故障又は異常を発生した際に使用するもので、遊技者に迷惑をかけないようにするためのものである。また、この玉計数器（図示しない）に返却されたパチンコ玉は、パチンコ機２から排出されたパチンコ玉と同様に、貯留タンク１３に貯留されることとなる。この玉計数器（図示しない）の上方には、玉磨き揚送装置３を駆動するための電源ユニット２１が設置されており、この電源ユニット２１の上方であって上部主タンク６の壁面には、玉磨き揚送装置３が異常停止した場合に点滅して、異常を外部に報知するためのフラッシュランプ２２が設置されている。また、パチンコ島台３内の上部には、１００Ｖの電圧を２４Ｖに変換するためのトランス２３及び２台のパチンコ機２の遊技データ（大当り・スタート・アウト・セーフ等）を管理し、ホールコンピュータと中継する役割を為す基板２４が設置され、また、パチンコ島台１の長手方向の両側方であって、最上部には、パチンコ機２の大当り時や呼出ランプ（図示しない）による呼出時等に点滅又は点灯する代表ランプ２５が設置されている。
【００２４】
なお、貯留タンク１３には、玉磨き揚送装置３への玉の排出を停止するシャッター２７（図３参照），このシャッター２７を開閉するための開閉スイッチ２８（図３参照）及び、貯留タンク１３内のパチンコ玉を抜くための玉抜き口２９（図３参照）がそれぞれ設置されている。
【００２５】
次に、パチンコ島台１のほぼ中央に位置する玉磨き揚送装置３の構成について図３を参照して説明する。図３は、パチンコ島台１から引き出した状態での玉磨き揚送装置３の下部の斜視図である。
【００２６】
図において、玉磨き揚送装置３は、厚肉の鋼板で形成された支持台４０の上部に支持台４０と同じ材料で形成された揚送筒支持部材４５が溶接固定され、該揚送筒支持部材４５に揚送筒本体４１が垂直状に立設されている。そして、揚送筒本体４１の下部に位置する下部ローラ４３と上部に位置する上部ローラ（図示しない）との間に掛け渡される革製の搬送ベルト４２が、揚送筒本体４１の周囲を周回するようになっている。この揚送筒本体４１は、その断面形状が一側面の開口した長方形状であり、この開口面には、この開口面を閉塞するための揚送筒カバー（図示しない）が取り付けられている。この揚送筒カバーは、揚送筒本体４１内部の中間ローラ（図示しない）や上部ローラの清掃，修理，交換時あるいは揚送筒本体４１内のトラブル時などに取り外し、修理，交換作業あるいはトラブルに対する対処を行うためのものである。
【００２７】
また、前記搬送ベルト４２は、モータ内蔵の下部ローラ４３の回転により揚送筒本体４１の周囲を周回駆動するものである。この搬送ベルト４２に張力を付与するためのテンション機構４４が、揚送筒本体４１の開口面側にベース部材５５を介して取り付けられている。また、下部ローラ４３の下部には、流入するパチンコ球を複数列に整列せしめる導入樋５が設置され、揚送筒本体４１の上方には、玉磨き後のパチンコ球が排出される排出樋部（図示しない）が一体的に形成される上部屈曲樋（図示しない）が接続されている。
【００２８】
しかして、前記導入樋５から流入されたパチンコ球は、搬送ベルト４２により下部ローラ４３から上部ローラ（図示しない）に向かって揚送された後、排出樋部１３から排出されるが、その揚送される過程でガイドレール４６に周設される布ベルト５２との摩擦力によってパチンコ球に付着した汚れが拭き取られ、排出樋部１３からは、奇麗にされたパチンコ球が排出されることとなる。なお、導入樋５には、導入樋５の傾斜角を調整する傾斜角調整ボルト４７が取り付けられている。この傾斜角調整ボルト４７には、コイルスプリングが周設されており、内部を流れるパチンコ球によって導入樋５に無理な力が加わったときでもパチンコ球がスムーズに整列されるような構造になっている。
【００２９】
一方、前記した揚送筒本体４１の後面側には、揚送筒本体４１の一側面に取り付けられた支持ヒンジ４８を介して、ガイドレール４６が開閉自在に取り付けられている。この支持ヒンジ４８は、揚送筒本体４１の垂直方向に亘って数箇所設けられている。また、揚送筒本体４１のもう一方の側面には、止め金具４９が係止金具５０を介して取り付けられており、ガイドレール４６には、前記止め金具４９に対応する位置にその止め金具４９を係止するための係合突起５１が設けられている。
【００３０】
このガイドレール４６には、その後面側に布ベルト５２の一端を係止する布ベルト固定係止部材５３と布ベルト５２の他端を引張係止する引張係止部材（図示しない）とが取り付けられ、その上端部に布ベルト５２を折り返し案内するための布ベルトローラ（図示しない）が取り付けられている。しかして、布ベルト固定係止部材５３に係止された布ベルト５２は、ガイドレール４６の下端からガイドレール４６内を通って布ベルトローラに掛け渡され、引張係止部材に引張係止される。
【００３１】
また、前述のように、ガイドレール４６は、揚送筒本体４１に対して開閉自在に取り付けられているため、前記搬送ベルト４２や布ベルト５２の玉磨き揚送装置３への装着は、ガイドレール４６を支持ヒンジ４８の支点を中心に回転させて開くことにより行うことができる。このようにして搬送ベルト４２や布ベルト５２を装着し、ガイドレール４６が閉じられた状態で揚送筒本体４１とガイドレール４６を止め金具４９により係止することによって、搬送ベルト４２と布ベルト５２が対面した状態で維持される。このようにガイドレール４６が閉じられ、止め金具４９により係止された状態では、揚送筒本体４１とガイドレール４６との間には、隙間が形成されることとなるが、この隙間は、係止金具５０の固着位置を調整することによってその寸法を設定することができ、その設定値に応じて揚送されるパチンコ球への圧力を変化させることができる。
【００３２】
なお、営業終了時には、前記布ベルト固定係止部材５３及び引張係止部材（図示しない）を緩めて布ベルト５２が移動し得るようにした状態で、ガイドレール４６の上方の布ベルト５２を引っ張って布ベルト収納箱５４に収納された未使用の布ベルト５２の未使用面をガイドレール４６の前面側に位置させるようにし、その後、布ベルト固定係止部材５３と引張係止部材（図示しない）とを順次操作して布ベルト５２を係止することによって、翌日の研磨に対する準備が終了する。また、この布ベルト５２の巻取作業は、ガイドレール４６を揚送筒本体４１から開いた状態でも、あるいは閉じたままの状態でも行うことができるが、新規な布ベルト５２に交換する場合には、ガイドレール４６を揚送筒本体４１から開いた状態で行う必要がある。
【００３３】
また、図３に示すように、玉磨き揚送装置３をパチンコ島台１から引き出す際にスムーズに引き出すためのレール２６が、玉磨き揚送装置３の下方に２箇所に亘って設けられている。
【００３４】
以上、パチンコ島台１及び玉磨き揚送装置３の構成について説明してきたが、次に、本発明の要部を構成する誘導樋機構７０について図４乃至図６を参照して説明する。図４は、実施形態に係る誘導樋機構７０の斜視図であり、図５は、誘導樋機構７０から玉回収器９０を取り外した状態の斜視図であり、図６は、玉回収器９０が誘導樋機構７０内を摺動する状態を示す斜視図及び部分拡大図である。
【００３５】
図４に示すように、誘導樋機構７０は、合成樹脂材料等により平面視で略コ字形状にほぼ左右対称に形成されるものであり、図３に示すように、パチンコ島台１内に設置される玉磨き揚送装置３下方の周囲に、玉磨き揚送装置３を取り囲むように設置されるものである。
【００３６】
この誘導樋機構７０は、下面板８０（図５参照）と垂直に立設された前面板７１，後面板７２，左右一対の外側面板７３，左右一対の内側面板７４及び左右一対の正面板７５とにより、上方が開放した縦断面ほぼコ字形状の箱型に形成されている。左右一対の正面板７５の下方には、それぞれ開口部７９（図５，図６参照）が形成され、この開口部７９には、後述する玉回収器９０が着脱自在に挿入される。
【００３７】
前面板７１及び後面板７２は、中央が突出したほぼ山形状に形成され、この前面板７１と後面板７２とは、間隔をもって配置されている。前面板７１の両側端からは、前方に向かって内側面板７４が立設され、後面板７２の両側端からは、同じく前方に向かって外側面板７３が立設されると共に、内側面板７４の前端部の上部と外側面板７３の前端部の上部とが正面板７５により連結されている。そして、正面板７５の下方には、前述したように、開口部７９が形成されている。
【００３８】
前面板７１と後面板７２との間の空間には、中央から左右に向かって下り傾斜した底板としての後方傾斜板７６が、内側面板７４の位置まで設けられている。
また、外側面板７３と内側面板７４とは、間隔をもって配置され、この外側面板７３と内側面板７４との間の空間には、後方傾斜板７６の下流端から正面板７５に向かって下り傾斜する底板としての側方傾斜板７７が設けられている。この側方傾斜板７７の下流端と正面板７５との間には、所定の位置としての落下口８１が形成されている。また、側方傾斜板７７の裏面側には、後述する磁石機構９６の磁気の影響を受けない無磁気領域を形成するための磁気遮断部材としての磁気遮断板７８が備えられている。この磁気遮断板７８は、その一端が、側方傾斜板７７の裏面であって下流端からやや上流側の位置に接合され、他端が側方傾斜板７７の下流端の下方に位置している。なお、後方傾斜板７６及び側方傾斜板７７は、着脱可能なものであってもよい。着脱可能にすることにより、後方傾斜板７６及び側方傾斜板７７が汚れた場合に清掃することができ、また、破損や損傷等した場合には、補修や交換をすることができる。
【００３９】
次に、前記玉回収器９０について説明すると、玉回収器９０は、図５に示すように、下面板９４と垂直に立設された前板９１，左右一対の側板９２及び後板９３とにより、上方が開放した箱型に形成されている。下面板９４の表面であって後板９３側端面からやや前板９１側の位置には、磁石９７と弾性を有する材料で形成された当接用板９８とから構成される磁石機構９６が備えられている。この磁石機構９６は、当接用板９８の一端に磁石９７を取り付け、他端の取付部９９を下面板９４に接合したものであり、外力が加わらない自然状態においては、図５に示すように、磁石９７の取付側が側方傾斜板７７の上方に位置しているが、磁石９７に力を加えることにより、矢印に示す方向で上下に当接用板９８を撓ませることができる。また、玉回収器９０の幅寸法は、前記開口部７９の幅寸法よりもやや小さい寸法で形成されている。なお、前板９１の表面中央には、取手９５が取り付けられている。
【００４０】
しかして、玉回収器９０を誘導樋機構７０内に装着する際には、磁石機構９６の磁石９７を下方に押さえながら玉回収器９０の後方（即ち、磁石機構９６取り付け側）から開口部７９に挿入することにより装着する。このとき、磁石９７が当接用板９８及び側方傾斜板７７の裏面側に当接することとなる。また、誘導樋機構７０から玉回収器９０を取り外すには、取手９５を挟持して引き出すことにより、容易に取り外すことができる。このように、玉回収器９０は、誘導樋機構７０に対して図６の矢印の方向に摺動させることができ、容易に着脱することができる。また、玉回収器９０に装着された磁石機構９６は、玉回収器９０に追従して移動するため、玉回収器９０を引き出す際には、磁石９７が側方傾斜板７７の裏面に当接しながら側方傾斜板７７の下流側に移動し、下流端のやや上流側からは、磁気遮断板７８の裏面に当接しながら下流側に移動する。そして、磁石９７が磁気遮断板７８の裏面に当接した際には、磁石９７は、側方傾斜板７７から次第に離れるため、磁気遮断板７８が取り付けられた部分の側方傾斜板７７の表面側では、磁石機構９６の磁気の影響を受けない無磁気領域が形成されることとなる。
【００４１】
しかして、上記した誘導樋機構７０内にパチンコ玉が落下あるいは侵入した場合、誘導樋機構７０内のパチンコ玉は、後方傾斜板７６又は側方傾斜板７７上を下流側に転動し、最終的に落下口８１に達して落下口８１から玉回収器９０内へ落下し、玉回収器９０により回収されて貯留される。そして、玉回収器９０を手前に引き出して取り外すことにより、回収したパチンコ玉を誘導樋機構７０から取り出すことができる。また、玉回収器９０を引き出した際、前述したように、磁石機構９６に追従して移動し、磁石９７が側方傾斜板７７の裏面側に当接しながら側方傾斜板７７の下流側に移動する。このため、磁石機構９６の磁気によってパチンコ玉を吸引しながら移動させることができ、側方傾斜板７７上に塵や埃等が堆積してパチンコ玉の流れが悪くなった場合でも、誘導樋機構７０内のパチンコ玉を確実に落下口８１まで移動させることができる。更に、前述したように、下流端のやや上流側から下流端にかけては、磁気遮断板７８により無磁気領域が形成されているため、磁石機構９６によって吸引されながら移動してきたパチンコ玉は、この無磁気領域では磁気の影響を受けなくなり、スムーズに落下口８１から玉回収器９０内へ落下することとなる。
【００４２】
以上、パチンコ島台１の詳細な構成について説明してきたが、本実施形態においては、複数のパチンコ機２と、該パチンコ機２で使用された又は使用するパチンコ玉を貯留する貯留タンク１３と、該貯留タンク１３に貯留されたパチンコ玉を磨きながら上方へ揚送する玉磨き揚送装置３と、が設置されたパチンコ島台１において、前記玉磨き揚送装置３下部の周囲には、該周囲に侵入したパチンコ玉を受け入れる誘導樋機構７０を設けると共に、該誘導樋機構７０の底板としての側方傾斜板７７を、受け入れたパチンコ玉が所定の位置としての落下口８１に誘導されるように傾斜状に形成したことを特徴とするものである。このように構成することにより、玉磨き揚送装置３下方の空間に侵入したパチンコ玉が誘導樋機構７０により受け止めることができ、更に、底板としての側方傾斜板７７の傾斜により所定の位置としての落下口８１に誘導されるため、パチンコ玉を手作業により拾い集める必要がなくなり、パチンコ玉の回収の作業性を向上させることができる。
【００４３】
また、本実施形態においては、前記誘導樋機構７０には、前記所定の位置としての落下口８１に誘導されたパチンコ玉を回収し貯留する玉回収器９０を着脱可能に設けたことを特徴とするものである。このように構成することにより、誘導樋機構７０により所定の位置としての落下口８１に誘導したパチンコ玉を玉回収器９０で容易に回収することができ、また、パチンコ玉を回収した玉回収器９０を誘導樋機構７０から取り外すことにより、容易にパチンコ玉を誘導樋機構７０から取り出すことができるため、更にパチンコ玉の回収の作業性を向上させることができる。
【００４４】
また、本実施形態においては、前記誘導樋機構７０内に、前記底板としての側方傾斜板７７の裏面に当接しながら移動することにより前記誘導樋機構７０内のパチンコ玉を前記所定の位置としての落下口８１に誘導する磁石機構９６を備えたことを特徴とするものである。このように構成することにより、磁石機構９６の磁気によってパチンコ玉を吸引しながら移動させることができるため、誘導樋機構７０の底板としての側方傾斜板７７上に塵や埃等が堆積してパチンコ玉の流れが悪くなった場合でも、誘導樋機構７０内のパチンコ玉を確実に所定の位置まで移動させることができる。
【００４５】
また、本実施形態においては、複数のパチンコ機２と、該パチンコ機２で使用された又は使用するパチンコ玉を貯留する貯留タンク１３と、該貯留タンク１３に貯留されたパチンコ玉を磨きながら上方へ揚送する玉磨き揚送装置３と、が設置されたパチンコ島台１において、前記玉磨き揚送装置３下方の周囲には、該周囲に侵入したパチンコ玉を受け入れる誘導樋機構７０を設けると共に、該誘導樋機構７０内に、該誘導樋機構７０の底板としての側方傾斜板７７の裏面に当接しながら移動することにより受け入れたパチンコ玉を所定の位置としての落下口８１に誘導する磁石機構９６を備えたことを特徴とするものである。このように構成することにより、玉磨き揚送装置３下方の空間に侵入したパチンコ玉が誘導樋機構７０により受け止めることができ、また、磁石機構９６の磁気によってパチンコ玉を吸引しながら移動させることができるため、誘導樋機構７０の底板に傾斜をつけることなく、パチンコ玉を確実に所定の位置としての落下口８１まで移動させることができる。
【００４６】
また、本実施形態においては、前記誘導樋機構７０には、前記所定の位置としての落下口８１に誘導されたパチンコ玉を回収し貯留する玉回収器９０を着脱可能に設けたことを特徴とするものである。このように構成することにより、誘導樋機構７０により所定の位置としての落下口８１に誘導したパチンコ玉を玉回収器９０で容易に回収することができ、また、パチンコ玉を回収した玉回収器９０を誘導樋機構７０から取り外すことにより、容易にパチンコ玉を誘導樋機構７０から取り出すことができるため、更にパチンコ玉の回収の作業性を向上させることができる。
【００４７】
また、本実施形態においては、前記玉回収器９０は、前記誘導樋機構７０に対して摺動自在に取り付けられると共に、前記磁石機構９６と連結されていることを特徴とするものである。このように構成することにより、玉回収器９０を摺動させて誘導樋機構７０から取り外す際に、磁石機構９６が玉回収器９０に追従して移動するため、誘導樋機構７０内のパチンコ玉を確実に玉回収器９０に集めることができ、また、誘導樋機構７０内のパチンコ玉を所定の位置としての落下口８１に移動させる作業と玉回収器９０を誘導樋機構７０から抜き取る作業を同時に行うことができるため、パチンコ玉の回収の作業を向上させることができる。
また、玉回収器９０と磁石機構９６が連結されているので、玉回収器９０が誘導樋機構７０に収納されることに伴い、追従して磁石機構９６も所定の位置に戻ることになるため、磁石機構９６の移動忘れを防止することができる。
【００４８】
更に、本実施形態においては、前記底板としての側方傾斜板７７の裏面側に、前記所定の位置としての落下口８１近傍に磁石機構９６の磁気の影響を受けない無磁気領域を形成するための磁気遮断部材としての磁気遮断板７８を、前記底板としての側方傾斜板７７の裏面側であって前記所定の位置としての落下口８１の近傍に備えたことを特徴とするものである。このように構成することにより、所定の位置としての落下口８１に向けて移動した磁石機構９６は、所定の位置としての落下口８１の近傍で磁気遮断部材としての磁気遮断板７８により底板としての側方傾斜板７７から遠ざけられるため、磁石機構９６により移動してきたパチンコ玉は、所定の位置としての落下口８１の近傍では、磁気の影響を受けなくなる。このため、パチンコ玉をスムーズに所定の位置としての落下口８１まで移動させることができる。
【００４９】
なお、本実施形態においては、無磁気領域を形成するために磁気遮断板７８を設けたものを示したが、磁気遮断板７８が設けられていないものであってもよい。
【００５０】
また、本実施形態においては、磁石機構９６と玉回収器９０が連結されているものを示したが、連結されておらず、個別に移動させることができるものであってもよい。
【００５１】
また、本実施形態においては、誘導樋機構７０内のパチンコ玉を回収,貯留するための玉回収器９０を設けたものを示したが、玉回収器９０が設けられず、誘導樋機構７０内のパチンコ玉を直接取り出す構造のものであってもよい。
【００５２】
また、本実施形態においては、底板として側方傾斜板７７を示したが、側方傾斜板７７のように傾斜して形成されるものでなく、水平上に形成されて磁石機構９６によりパチンコ玉を回収するものであってもよい。
【００５３】
更に、本実施形態においては、パチンコ玉を回収するために磁石機構９６を備えたものを示したが、磁石機構９６が備えられず、側方傾斜板７７の傾斜だけでパチンコ玉を回収するものであってもよい。
【００５４】
【発明の効果】
以上、説明したところから明らかなように、請求項１に記載の発明においては、複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台において、前記玉磨き揚送装置下方の周囲には、該周囲に侵入したパチンコ玉を受け入れる誘導樋機構を設けると共に、該誘導樋機構の底板を、受け入れたパチンコ玉が所定の位置に誘導されるように傾斜状に形成したことにより、玉磨き揚送装置下方の空間に侵入したパチンコ玉が誘導樋機構により受け止めることができ、更に、底板の傾斜により所定の位置に誘導されるため、パチンコ玉を手作業により拾い集める必要がなくなり、パチンコ玉の回収の作業性を向上させることができる。
【００５５】
また、請求項２に記載の発明においては、前記誘導樋機構には、前記所定の位置に誘導されたパチンコ玉を回収し貯留する玉回収器を着脱可能に設けたことにより、誘導樋機構により所定の位置に誘導したパチンコ玉を玉回収器で容易に回収することができ、また、パチンコ玉を回収した玉回収器を誘導樋機構から取り外すことにより、容易にパチンコ玉を誘導樋機構から取り出すことができるため、更にパチンコ玉の回収の作業性を向上させることができる。
【００５６】
また、請求項３に記載の発明においては、前記誘導樋機構内に前記底板の裏面に当接しながら移動することにより前記誘導樋機構内のパチンコ玉を前記所定の位置に誘導する磁石機構を備えたことにより、磁石機構の磁気によってパチンコ玉を吸引しながら移動させることができるため、誘導樋機構の底板上に塵や埃等が堆積してパチンコ玉の流れが悪くなった場合でも、誘導樋機構内のパチンコ玉を確実に所定の位置まで移動させることができる。
【００５７】
また、請求項４に記載の発明においては、複数のパチンコ機と、該パチンコ機で使用された又は使用するパチンコ玉を貯留する貯留タンクと、該貯留タンクに貯留されたパチンコ玉を磨きながら上方へ揚送する玉磨き揚送装置と、が設置されたパチンコ島台において、前記玉磨き揚送装置下方の周囲には、該周囲に侵入したパチンコ玉を受け入れる誘導樋機構を設けると共に、該誘導樋機構内に、該誘導樋機構の底板の裏面に当接しながら移動することにより受け入れたパチンコ玉を所定の位置に誘導する磁石機構を備えたことにより、玉磨き揚送装置下方の空間に侵入したパチンコ玉が誘導樋機構により受け止めることができ、また、磁石機構の磁気によってパチンコ玉を吸引しながら移動させることができるため、誘導樋機構の底板に傾斜をつけることなく、パチンコ玉を確実に所定の位置まで移動させることができる。
【００５８】
また、請求項５に記載の発明においては、前記誘導樋機構には、前記所定の位置に誘導されたパチンコ玉を回収し貯留する玉回収器を着脱可能に設けたことにより、誘導樋機構により所定の位置に誘導したパチンコ玉を玉回収器で容易に回収することができ、また、パチンコ玉を回収した玉回収器を誘導樋機構から取り外すことにより、容易にパチンコ玉を誘導樋機構から取り出すことができるため、更にパチンコ玉の回収の作業性を向上させることができる。
【００５９】
また、請求項６に記載の発明においては、前記玉回収器は、前記誘導樋機構に対して摺動自在に取り付けられると共に、前記磁石機構と連結されていることにより、玉回収器を摺動させて誘導樋機構から取り外す際に、磁石機構が玉回収器に追従して移動するため、誘導樋機構内のパチンコ玉を確実に玉回収器に集めることができ、また、誘導樋機構内のパチンコ玉を所定の位置に移動させる作業と玉回収器を誘導樋機構から抜き取る作業を同時に行うことができるため、パチンコ玉の回収の作業を向上させることができる。また、玉回収器と磁石機構が連結されているので、玉回収器が誘導樋機構に収納されることに伴い、追従して磁石機構も所定の位置に戻ることになるため、磁石機構の移動忘れを防止することができる。
【００６０】
更に、請求項７に記載の発明においては、前記底板の裏面側に、前記所定の位置近傍に磁石機構の磁気の影響を受けない無磁気領域を形成するための磁気遮断部材を備えたことにより、所定の位置に向けて移動した磁石機構は、所定の位置の近傍で磁気遮断部材により底板から遠ざけられるため、磁石機構により移動してきたパチンコ玉は、所定の位置の近傍では、磁気の影響を受けなくなる。このため、パチンコ玉をスムーズに所定の位置まで移動させることができる。
【図面の簡単な説明】
【図１】本実施形態に係るパチンコ島台の内部を示す側面図及び及びパチンコ島台内に設置される玉磨き揚送装置の下方の部分拡大図である。
【図２】従来のパチンコ島台に玉揚送装置が設置された状態を示す斜視図である。
【図３】パチンコ島台から引き出した状態での玉磨き揚送装置の下方の斜視図である。
【図４】実施形態に係る誘導樋機構の斜視図でる。
【図５】誘導樋機構から玉回収器を取り外した状態の斜視図である。
【図６】玉回収器が誘導樋機構内を摺動する状態を示す斜視図及び部分拡大図である。
【符号の説明】
１  パチンコ島台
２  パチンコ機
３  玉磨き揚送装置
１３  貯留タンク
７０  誘導樋機構
７６  後方傾斜板
７７  側方傾斜板
７８  磁気遮蔽板
７９  開口部
８０  下面板
８１  落下口
９０  玉回収器
９６  磁石機構
９７  磁石
９８  当接用板
９９  取付部
【図１】
0004581236.tif 000002
【図２】
0004581236.tif 000003
【図３】
0004581236.tif 000004
【図４】
0004581236.tif 000005
【図５】
0004581236.tif 000006
【図６】
0004581236.tif 000007